(57)【特許請求の範囲】
【請求項１】
少なくとも２枚のセンタリングマグネットを備えたＣＲＴを取り付けて固定するための調整台と、
ＣＲＴに所定の映像パターンを表示させるための映像信号を生成するパターン入力部と、
ＣＲＴのセンタリングマグネットを回転させるためのモータ及びこのモータを駆動するモータ駆動部と、
ＣＲＴ蛍光面に対向して設けられ、ＣＲＴ画面を撮影するテレビカメラと、
上記テレビカメラから出力される映像情報に基づいて、少なくとも映像パターンの出画位置を求める画像処理部と、
画像処理部の出力に基づいて、パターン入力部及びモータ駆動部に対して、制御信号を出力するコントローラとを備え、
ＣＲＴ画面の出画情報に基づいて、センタリングマグネットを回転させて出画位置を調節するＣＲＴ出画位置の自動調節装置において、
各々のセンタリングマグネットを順次回転させ、両センタリングマグネットの両極を一致させることによって、これらのマグネットにより電子ビームに作用するローレンツ力の力ベクトルを同一の方向としてから、更に、各々のセンタリングマグネットを相互に逆方向に９０度回転させ、各々のセンタリングマグネットの極性を逆方向とすることによって両ベクトルを互いに相反する方向にし、
次いで、各々のセンタリングマグネットを同一方向かつ同一角度だけ回転させることに  よって、両ベクトルの合力の方向を、上記ＣＲＴ画面上のターゲットの方向と一致させ、更に、両センタリングマグネットを、互いに逆方向に同一角度回転させることによって、上記合力ベクトルの大きさを調節することにより、画像パターンの出画位置をターゲットに一致させることを特徴とするＣＲＴ出画位置の自動調節装置。
【請求項２】
請求項１に記載した本発明によるＣＲＴ出画位置の自動調節装置において、
上記画像パターンの対角線交点又は重心をターゲット位置に一致させることを特徴とするＣＲＴ出画位置の自動調節装置
【請求項３】
請求項１又は２に記載した本発明によるＣＲＴ出画位置の自動調節装置において、
各々のセンタリングマグネットによるローレンツ力が相互に逆方向となるように両マグネットを回転する前に、
各々のセンタリングマグネットを順次回転させ、各々の回転による画像パターンの軌跡が頂点位置になったときに、各々の回転を停止することによって、各センタリングマグネット間に、各々のローレンツ力による力ベクトルの向きが一致する磁力関係を作ることを特徴とするＣＲＴ出画位置の自動調節装置。
【請求項４】
請求項３に記載した本発明によるＣＲＴ出画位置の自動調節装置において、
上記画像パターンの大きさが最小となる状態にして、画像パターンの軌跡を認識することを特徴とするＣＲＴ出画位置の自動調節装置。
【請求項５】
少なくとも２枚のセンタリングマグネットを備え、これらのセンタリングマグネットを回転させることにより蛍光面上での出画位置を調節するＣＲＴ出画位置の調整法において、
各々のセンタリングマグネットを順次回転させ、両センタリングマグネットの両極を一致させることによって、これらのマグネットにより電子ビームに作用するローレンツ力の力ベクトルを同一の方向としてから、更に、各々のセンタリングマグネットを相互に逆方向に９０度回転させ、各々のセンタリングマグネットの極性を逆方向とすることによって両ベクトルを互いに相反する方向にし、
次いで、各々のセンタリングマグネットを同一方向かつ同一角度だけ回転させることによって、両ベクトルの合力の方向を、上記ＣＲＴ画面上のターゲットの方向と一致させ、
更に、両センタリングマグネットを、互いに逆方向に同一角度回転させることによって、上記合力ベクトルの大きさを調節することにより、画像パターンの出画位置をターゲットに一致させることを特徴とするＣＲＴ出画位置の調整法。
【請求項６】
請求項５に記載のＣＲＴ出画位置の調整法において、
上記画像パターンの対角線交点又は重心をターゲット位置に一致させることを特徴とするＣＲＴ出画位置の調整法。
【請求項７】
請求項５又は６に記載のＣＲＴ出画位置の調整法において、
各々のセンタリングマグネットによるローレンツ力が相互に逆方向となるように両マグネットを回転する前に、各々のセンタリングマグネットを順次回転させ、各々の回転による画像パターンの軌跡が頂点位置になったときに、各々の回転を停止することによって、各センタリングマグネット間に、各々のローレンツ力による力ベクトルの向きが一致する磁力関係を作ることを特徴とするＣＲＴ出画位置の調整法。
【請求項８】
請求項７に記載のＣＲＴ出画位置の調整法において、
上記画像パターンの大きさが最小となる状態にして、画像パターンの軌跡を認識することを特徴とするＣＲＴ出画位置の調整法。
【請求項９】
請求項５から８のいずれかに記載のＣＲＴ出画位置の調整法において、
上記センタリングマグネットの外周部が、歯車状に形成され、
出画位置の調整時において、調整用ギヤを上記センタリングマグネットの外周部に歯合させ、
上記調整用ギヤを介して、モータの回転を伝達して出画位置を調整することを特徴とするＣＲＴ出画位置の調整法。
【発明の詳細な説明】
【０００１】
【発明の属する技術分野】
【０００２】
本発明は、センタリングマグネットによる出画位置の調整法に係り、更に詳しくは、ＣＲＴ（陰極線管）又はＣＲＴを備えた装置の製造行程において、センタリングマグネットを用いて画像を適切な位置に出画させる（画像の中心をＣＲＴ画面の中心に一致させる）ための調整方法の改良に関する。
【従来の技術】
【０００３】
ＣＲＴには、一般に、特性的バラツキがあり、出画位置（画像パターンが表示されるＣＲＴ画面上に位置）にもバラツキが生ずるため、画像パターンを出画し、この画像パターンの中心をＣＲＴ画面、即ち、蛍光面の中心に一致させる調整が必要となる。
【０００４】
このため、この種のＣＲＴは、図８に示した様に、そのネック部に取り付けられる偏向ヨークＹが、センタリングマグネットＭａ、Ｍｂを備え、このセンタリングマグネットＭａ、Ｍｂによって出画位置の調節が行われている。なお、図示したＣＲＴは、偏平ブラウン管と呼ばれるものであるが、偏平型でない通常のブラウン管においても同様である。
【０００５】
上記センタリングマグネットＭａ、Ｍｂは、回転可能に取り付けられた２枚の薄板マグネットであり、それぞれのセンタリングマグネットＭａ、Ｍｂを回転させることにより、２枚のマグネットＭａ、Ｍｂにより形成される合成磁場の方向及び大きさを変化させることができる。
【０００６】
図９は偏平ブラウン管内の電子ビームの動きを模式的に表したものであり、電子ビームが、センタリングマグネットＭａ、Ｍｂの合成磁場を通って、ＣＲＴスクリーンへ到達し、ＣＲＴスクリーン上で可視光に変換されて、映像表示を行う様子を示したものである。
【０００７】
ＣＲＴの電子ビームがこの合成磁場を通過する際には、フレミングの左手の法則に従って、電子ビームにローレンツ力が作用する。このため、上記合成磁場の方向及び大きさを調節し、電子ビームの軌道を修正することによって、画像をＣＲＴ画面上の適切な位置に出画させることができる。即ち、ＣＲＴの特性的な出画位置のバラツキを補正することができる。
【０００８】
図１０及び図１１は、ブラウン管内の電子ビームが、センタリングマグネットＭの磁場の影響を受けることにより、ＣＲＴスクリーン上の画像に力ベクトルＶ’、Ｖが作用している様子を示したものである。
【０００９】
図１０のスクリーンＳＣ’は、通常のブラウン管におけるＣＲＴスクリーンであり、電子ビームの進行方向が、その垂線となる様に配置されている。一方、スクリーンＳＣは、偏平ブラウン管におけるＣＲＴスクリーンであり、上記スクリーンＳＣ’とθの角をなす様に配置され、電子ビームの進行方向とスクリーンＳＣの垂線方向とはθの角をなしている。
【００１０】
このため、センタリングマグネットの磁場Ｍの方向が、図示した様な方向であれば、ローレンツ力によって、通常のブラウン管の場合には、スクリーンＳＣ’上に力ベクトルＶ’が作用することになる一方、偏平ブラウン管の場合には、力ベクトルＶ’をスクリーンＳＣ上に投影した力ベクトルＶが作用することになる。
【００１１】
ここで、力ベクトルＶ’と力ベクトルＶとは、ｘ軸方向の成分は同じであるが、力ベクトルＶのｙ軸方向の成分は、力ベクトルＶ’のｙ’軸方向の成分の１／ｃｏｓθ倍である。即ち、力ベクトルＶのｙ軸方向の成分と、力ベクトルＶ’のｙ’軸方向の成分とは一致せず、その関係は傾きθによって決まる。図１１は、図１０を矢印の方向から見た図であり、Ｖ’のｙ’方向成分と、Ｖのｙ方向成分との関係を表したものである。
【００１２】
この様にして、センタリングマグネットを回転させた場合に、通常のブラウン管の場合であれば、力ベクトルＶの軌跡は円を描くが、偏平ブラウン管の場合には、楕円起動を描くことになる。
【００１３】
この様な原理を利用して、ＣＲＴ又はＣＲＴを備えた製品の製造工程において、ＣＲＴ画面上に画像パターンを出画させ、作業者が、このパターンを見ながら、ドライバー等を用いてセンタリングマグネットＭａ、Ｍｂを回転させて、出画位置を調整していた。
【発明が解決しようとする課題】
【００１４】
ところが、一方のセンタリングマグネットのみを動かした場合であっても、ＣＲＴ画面上での画像パターンの軌跡は円又は楕円軌道を描き、また、画像パターンの出画位置は、２つのセンタリングマグネットの合成磁場によって決まるため、２枚のセンタリングマグネットを相対的に動かして調整しなければならない。
【００１５】
このため、作業者が、出画された画像パターンを見ながら、２枚のセンタリングマグネットを動かして、ＣＲＴ画面上での出画位置を調節することは容易ではなく、作業者にかなりの熟練が必要とされていた。
【００１６】
本発明は、上記の事情に鑑みてなされたもので、センタリングマグネットによる出画位置の調整を一定の規則に従って行う方法を提供し、出画位置の自動調整を行うことを目的とする。
【課題を解決するための手段】
【００１７】
請求項１に記載したＣＲＴ出画位置の自動調節装置は、各々のセンタリングマグネットを順次回転させ、両センタリングマグネットの両極を一致させることによって、これらのマグネットにより電子ビームに作用するローレンツ力の力ベクトルを同一の方向としてから、更に、各々のセンタリングマグネットを相互に逆方向に９０度回転させ、各々のセンタリングマグネットの極性を逆方向とすることによって両ベクトルを互いに相反する方向にし、次いで、各々のセンタリングマグネットを同一方向かつ同一角度だけ回転させることに  よって、両ベクトルの合力の方向を、上記ＣＲＴ画面上のターゲットの方向と一致させ、更に、両センタリングマグネットを、互いに逆方向に同一角度回転させることによって、上記合力ベクトルの大きさを調節することにより、画像パターンの出画位置をターゲットに一致させることを特徴とする。
【００１８】
請求項２に記載したＣＲＴ出画位置の自動調節装置は、請求項１に記載した本発明によるＣＲＴ出画位置の自動調節装置において、上記画像パターンの対角線交点又は重心をターゲット位置に一致させる構成とされる。
【００１９】
請求項３に記載したＣＲＴ出画位置の自動調節装置は、請求項１又は２に記載した本発明によるＣＲＴ出画位置の自動調節装置において、各々のセンタリングマグネットによるローレンツ力が相互に逆方向となるように両マグネットを回転する前に、各々のセンタリングマグネットを順次回転させ、各々の回転による画像パターンの軌跡が頂点位置になったときに、各々の回転を停止することによって、各センタリングマグネット間に、各々のローレンツ力による力ベクトルの向きが一致する磁力関係を作ることを特徴とする。
【００２０】
請求項４に記載したＣＲＴ出画位置の自動調節装置は、請求項３に記載した本発明によるＣＲＴ出画位置の自動調節装置において、上記画像パターンの大きさが最小となる状態にして、画像パターンの軌跡を認識する構成とされる。
【００２１】
請求項５に記載したＣＲＴ出画位置の調整法は、各々のセンタリングマグネットを順次回転させ、両センタリングマグネットの両極を一致させることによって、これらのマグネットにより電子ビームに作用するローレンツ力の力ベクトルを同一の方向としてから、更に、各々のセンタリングマグネットを相互に逆方向に９０度回転させ、各々のセンタリングマグネットの極性を逆方向とすることによって両ベクトルを互いに相反する方向にし、次いで、各々のセンタリングマグネットを同一方向かつ同一角度だけ回転させることによって、両ベクトルの合力の方向を、上記ＣＲＴ画面上のターゲットの方向と一致させ、更に、両センタリングマグネットを、互いに逆方向に同一角度回転させることによって、上記合力ベクトルの大きさを調節することにより、画像パターンの出画位置をターゲットに一致させることを特徴とする。
【００２２】
請求項６に記載したＣＲＴ出画位置の調整法は、請求項５に記載したＣＲＴ出画位置の調整法であって、上記画像パターンの対角線交点又は重心を画像パターンの位置とし、この位置をターゲット位置に一致させる方法である。
【００２３】
請求項７に記載したＣＲＴ出画位置の調整法は、請求項５又は６に記載したＣＲＴ出画位置の調整法であって、各々のセンタリングマグネットによるローレンツ力が相互に逆方向となるように両マグネットを回転する前に、各々のセンタリングマグネットを順次回転させ、各々の回転による画像パターンの軌跡が頂点位置になったときに、各々の回転を停止することによって、各センタリングマグネット間に、各々のローレンツ力による力ベクトルの向きが一致する磁力関係を作ることを特徴とする。
【００２４】
請求項８に記載したＣＲＴ出画位置の調整法は、請求項７に記載したＣＲＴ出画位置の調整法であって、上記画像パターンの大きさが最小となる状態にして、画像パターンの軌跡を認識して、各センタリングマグネット間に一定の磁力関係を作る方法である。
【００２５】
請求項９に記載したＣＲＴ出画位置の調整法は、請求項５から８のいずれかに記載したＣＲＴ出画位置の調整法であって、上記センタリングマグネットの外周部が、歯車状に形成され、出画位置の調整時において、調整用ギヤを上記センタリングマグネットの外周部に歯合させ、上記調整用ギヤを介して、モータの回転を上記センタリングマグネットへ伝達して出画位置を調整する方法である。
【００２６】
なお、請求項１から９におけるＣＲＴとは、陰極線管（ｃａｔｈｏｄｅ−ｒａｙ  ｔｕｂｅ）を意味し、偏平型ブラウン管及び偏平型でない通常のブラウン管の両方を含むものである。
【発明の実施の形態】
【００２７】
本発明によるＣＲＴ出画位置の調整法の実施の一形態を図１を用いて説明する。図１から図３の（ａ）〜（ｈ）は、調整時におけるＣＲＴ蛍光面上の出画の様子及びセンタリングマグネットＭａ、Ｍｂの位置関係を示した図である。図示したセンタリングマグネットＭａ、Ｍｂは、電子銃の方向から見た場合のものである。
【００２８】
まず、ＣＲＴに画面全体の出画状態を確認することができる画像パターン、即ち、矩形（長方形）の画像パターンを出画する。この画像パターンＰは、Ｖ（垂直サイズ）、Ｈ（水平サイズ）、Ｋ（キーストン）の各ボリュームを調節して、縦横ともに最も小さい状態にしておく。これにより、出画位置を調整する際に、画像パターンＰがＣＲＴ画面上からはみ出すフレームアウトを防止し、画像パターンＰの軌跡を認識し易くする。この様子を図１の（ａ）に示す。
【００２９】
次に、一方のセンタリングマグネットＭａを回転させて、画像パターンＰの軌跡を観察する。この時、他方のセンタリングマグネットＭｂは固定しておく。画像パターンＰは、円又は楕円軌道を描いて移動するため、画像パターンＰが、この軌道の頂点に位置するようにセンタリングマグネットＭａを調節する。この様子を図１の（ｂ）に示す。ここでは、頂点を軌跡の上方としたので、センタリングマグネットＭａのＳ極は、右方向となっている。
【００３０】
ここで、画像パターンＰの軌跡を観察する際には、画像パターンＰの重心点を画像パターンＰの位置とし、その重心点の軌跡を画像パターンＰの軌跡として採用する。画像パターンＰが矩形の場合には、その対角交点を画像パターンＰの位置として使用することもできる。
【００３１】
なお、円軌道等には、頂点と呼ばれる点は存在しないが、映像パターンの軌跡上であって特定可能な特徴点を便宜上、頂点と呼ぶ。ここでは、軌跡の内最も上方にくる位置を特定可能な特徴点として、頂点と呼んでいる。
【００３２】
この調節が終わると、センタリングマグネットＭａを固定し、もう一方のセンタリングマグネットＭｂを回転させる。この時、センタリングマグネットＭａの場合と同様にして画像パターンＰの円又は楕円軌道の頂点に、画像パターンＰが位置するようにセンタリングマグネットＭｂを調節する。この様子を図１の（ｃ）に示す。調整後は、センタリングマグネットＭｂのＳ極も右方向となっている。
【００３３】
この様にして、センタリングマグネットＭａ、Ｍｂを調節することにより、両センタリングマグネットＭａ、Ｍｂの極性を一致させることができる。即ち、両センタリングマグネットＭａ、ＭｂのＮ極からＳ極へ向かう磁力ベクトルの向きが一致し、両磁力ベクトルの相対的な位置関係を把握することができる。
【００３４】
次に、各センタリングマグネットＭａ、Ｍｂを逆方向に９０度ずつ回転させることによって、両センタリングマグネットの相対的な角度を１８０度、即ち、極性を逆方向とすることができる。図２の（ｄ）は、この様子を示したものであり、図中に示したベクトルＶａ、Ｖｂは、それぞれセンタリングマグネットＭａ、Ｍｂにより、ＣＲＴ画面上の画像パターンＰに作用しているる力のベクトルである。即ち、各センタリングマグネットＭａ、Ｍｂにより形成される磁場において、電子ビームに作用するローレンツ力を、ＣＲＴ画面上において画像パターンＰに作用している力ベクトルＶａ、Ｖｂとして表現したものである。
【００３５】
両センタリングマグネットＭａ、Ｍｂは、その極性が逆方向となるため、ベクトルＶａ、Ｖｂも逆方向の大きさが等しいベクトルとなり、両ベクトルＶａ、Ｖｂは互いに打ち消しあって、画像パターンＰには、力のベクトルが作用していない状態となる。
【００３６】
この状態において、センタリングマグネットＭａ、Ｍｂをともに、同一方向へ同一角度だけ回転させても、ベクトルＶａ、Ｖｂの相対的な関係は変化しないため、逆向きで打ち消しあっている状態を維持しつつ、ベクトルＶａ、Ｖｂの方向が変化する。この様にして、画像パターンＰの重心点から見たターゲットＴへの方向が、上記ベクトルＶａ、Ｖｂと９０度となるように調節する。この様子を図２の（ｅ）に示す。ここで、ターゲットＴとは、画像パターンＰの重心点を一致させる目標となるＣＲＴ蛍光面上の位置であり、通常、ＣＲＴ蛍光面の中央がターゲットＴとされる。
【００３７】
ターゲットＴの方向が、ベクトルＶａ、Ｖｂの方向と９０度の角度をなしていれば、センタリングマグネットＭａ、Ｍｂを逆方向に同一角度だけ回転させた場合に、ベクトルＶａ、Ｖｂの合力の方向は、ターゲットＴの方向と一致して変化せず、その大きさは、センタリングマグネットＭａ、Ｍｂの回転角度に応じて変化する。
【００３８】
即ち、センタリングマグネットＭａ、Ｍｂを逆方向に同一のある角度だけ回転させたならば、画像パターンＰの重心点がターゲットＴを通過する。従って、画像パターンＰの重心点がターゲットＴに一致する様に、センタリングマグネットＭａ、Ｍｂの回転角度を調節することができる。この様子を図１の（ｆ）に示す。
【００３９】
この様にして、画像パターンＰの重心点をターゲットＴに一致させれば、Ｖ（垂直サイズ）、Ｈ（水平サイズ）、Ｋ（キーストン）の各ボリュームを調節して、出画される画像パターンＰを通常の大きさにして、実際のＣＲＴ画面枠とのずれを検査する。この様子を図１の（ｇ）に示す。このズレ量は、ＣＲＴの個体差により異なるものである。
【００４０】
上記ずれが許容範囲内である場合には、調整を終了する一方、上記ずれが許容範囲外である場合には、再び、Ｖ、Ｈ、Ｋの各ボリュームを調節して、画像パターンＰの大きさを最小とし（図１の（ｈ））、図１の（ｄ）〜（ｇ）に示したセンタリングマグネットＭａ、Ｍｂの調節を繰り返し行う。
【００４１】
この様なセンタリングマグネットによるＣＲＴ出画位置の調整法を実施するためのシステムの概略図を図４に示す。このシステムは、ＣＲＴ画面をテレビカメラ１０で撮影し、撮影された画像情報に基づいて、モータを駆動して、センタリングマグネットＭａ、Ｍｂを回転させて、出画位置を自動調節するものである。
【００４２】
パターン入力部１３は、ＣＲＴに所定の映像パターンを表示させるための信号を生成し、ＣＲＴに対して出力する。画像処理部１１は、テレビカメラ１０により撮影されたＣＲＴ画面の情報に所定の解析処理を行って、映像パターンの重心点又は対角交点や、ターゲットＴとなるＣＲＴ画面の中心の位置を求める。コントローラ１２は、画像処理部１１の出力に基づいて、モータ駆動部１４を制御して、所定の方向、角度だけ、センタリングマグネットＭａ、Ｍｂを回転させる。この様なシステムを使用することで、本発明による出画位置の調整方法を自動的に行うことができる。
【００４３】
モータ駆動によるセンタリングマグネットの制御機構の一構成例を図５〜図７に示す。この制御機構は、図４に示したシステムにおいて使用されるものである。
【００４４】
図５は、ＣＲＴを調整装置にセットした状態を示したものであり、偏向ヨークＹを備えたＣＲＴは、表示画面Ｄを上向にしてセットされ、この上方にはテレビカメラ１０が対向して取り付けされている。偏向ヨークＹに回転可能に取り付けられたセンタリングマグネットＭａは、外周部が歯車状となっており、モータＭａの回転を伝達する調整用ギヤＧａ１、Ｇａ２と連結されている。この図においては図示されていないが、センタリングマグネットＭｂも、他の調整用ギヤＧｂ１、Ｇｂ２と連結されている。
【００４５】
この図においては、出画位置を調整されるＣＲＴとして、偏平ブラウン管を示したが、偏平型でない通常のブラウン管の場合も、テレビカメラ１０をＣＲＴ表示画面Ｄに対向する位置、即ち、横方向に取り付けることにより、同様にして、調整が可能であることもちろんである。
【００４６】
図６は、図５のＡ−Ａにおける断面を示した断面図である。ＣＲＴは、画面表示部Ｄが調整台Ｔの支持部Ｓｄに支持されるとともに、置き台Ｓｔ及び可動押え部Ｓｃにより挟まれて固定される。
【００４７】
この状態において、調整台Ｔに設けられたモータＭａの駆動軸の回転は、タイミングベルトＴＢａを介して、調整用ギヤＧａに伝達され、調整用ギヤＧａと歯合しているセンタリングマグネットＭａに伝達される。ここで、調整用ギヤＧａは、図５中の調整用ギヤＧａ１、Ｇａ２に相当する。
【００４８】
同様にして、可動押え部Ｓｃに設けられたモータＭｂの駆動軸の回転は、タイミングベルトＴＢｂを介して、調整用ギヤＧｂに伝達され、さらに、調整用ギヤＧｂと歯合しているセンタリングマグネットＭａに伝達される。
【００４９】
図７は、図５のＢ−Ｂにおける断面を示した断面図である。センタリングマグネットＭａ、Ｍｂは、ともに２つの調整用ギヤと歯合している。即ち、センタリングマグネットＭａは、調整用ギヤＧａ１、Ｇａ２と歯合し、モータＭａの回転が伝達される一方、センタリングマグネットＭｂは、調整用ギヤＧｂ１、Ｇｂ２と歯合し、モータＭｂの回転が伝達される。ここで、調整用ギヤＧｂ１、Ｇｂ２は、図６中の調整用ギヤＧｂに相当する。
【００５０】
この様にして、２以上の調整用ギヤを介して、センタリングマグネットを駆動するため、モータの回転を確実かつ高精度で伝達することができ、出画位置の調整後は、可動押え部Ｓｃを開いて、ＣＲＴを取り出すことができる。
【発明の効果】
【００５１】
請求項１に記載したＣＲＴ出画位置の自動調節装置及び請求項５に記載したＣＲＴ出画位置の調整法は、ＣＲＴ画面上において画像パターンに作用しているベクトルの方向をターゲットの方向と一致させた後に、上記ベクトルの大きさを調節することにより、画像パターンの出画位置をターゲットに一致させる。
【００５２】
即ち、ターゲットの位置を基準として、出画位置を調節するため、出画される映像パターンの位置を正確にターゲットに一致させることができる。従って、熟練した作業者でなくても調整作業を行うことが可能となり、高い精度で自動調整を行う自動調整装置を提供することができる。
【００５３】
請求項２に記載したＣＲＴ出画位置の自動調節装置及び請求項６に記載したＣＲＴ出画位置の調整法は、ＣＲＴ画面上に出画された映像パターンの対角交点又は重心位置を求め、これを映像パターンの位置とするため、ターゲットと一致させる際の精度を向上させることができる。また、テレビカメラで撮影して画像処理を行う際には、画像データの処理が容易となる。
【００５４】
請求項３に記載したＣＲＴ出画位置の自動調節装置及び請求項７に記載したＣＲＴ出画位置の調整法は、画像パターンの軌跡を利用して、両センタリングマグネット間に一定の磁力関係を作る。即ち、センタリングマグネットを回転させて、映像パターンの軌跡を観察するだけで、両センタリングマグネットの極性を一致させることができるため、調整開始時における極性合わせを容易に行うことができる。
【００５５】
請求項４に記載したＣＲＴ出画位置の自動調節装置及び請求項８に記載したＣＲＴ出画位置の調整法は、画像パターンが最小となる状態にして出画位置の調整を行うため、画像パターンがＣＲＴ画面上からはみ出すフレームアウトを防止し、画像パターンの軌跡を認識し易くする。従って、出画位置の調整を容易に行うことができる。
【００５６】
請求項９に記載したＣＲＴ出画位置の調整法は、出画位置の調整時に調整用ギヤを上記センタリングマグネットの外周部に歯合させ、上記調整用ギヤを介して、モータの回転を伝達して出画位置を調整するため、モータの駆動によりセンタリングマグネットを回転させることができる。従って、出画位置の自動調整を行うことが可能となる。
【図面の簡単な説明】
【図１】  本発明によるＣＲＴ出画位置の調整法の一例を示す図である。
【図２】  図１に引続き、本発明によるＣＲＴ出画位置の調整法の一例を示す図である。
【図３】  図２に引続き、本発明によるＣＲＴ出画位置の調整法の一例を示す図である。
【図４】  本発明によるＣＲＴ出画位置の調整法を実施するためのシステムの一例の概略図である。
【図５】  モータ駆動によるセンタリングマグネットの制御機構の一構成例を示した図である。
【図６】  図５のＡ−Ａにおける断面を示した断面図である。
【図７】  図５のＢ−Ｂにおける断面を示した断面図である。
【図８】  センタリングマグネットを備えたＣＲＴを示した図である。
【図９】  偏平ブラウン管内の電子ビームの動きを模式的に表した図である。
【図１０】  センタリングマグネットにより、ＣＲＴスクリーン上の画像に力ベクトルが作用する様子を立体的に示した図である。
【図１１】  センタリングマグネットにより、ＣＲＴスクリーン上の画像に力ベクトルが作用する様子を平面的に示した図である。
【符号の説明】
Ｍａ、Ｍｂ・・・センタリングマグネット
Ｔ・・・調整台
１０・・・テレビカメラ
１１・・・画像処理部
１２・・・コントローラ
１３・・・パターン入力部
１４・・・モータ駆動部
Ｖａ、Ｖｂ・・・ベクトル
Ｐ・・・画像パターン
Ｔ・・・ターゲット
Ｇａ１、Ｇａ２、Ｇｂ１、Ｇｂ２・・・調整用ギヤ
【図１】
0003637549.tif 000002
【図２】
0003637549.tif 000003
【図３】
0003637549.tif 000004
【図４】
0003637549.tif 000005
【図５】
0003637549.tif 000006
【図６】
0003637549.tif 000007
【図７】
0003637549.tif 000008
【図８】
0003637549.tif 000009
【図９】
0003637549.tif 000010
【図１０】
0003637549.tif 000011
【図１１】
0003637549.tif 000012